(57)【要約】【課題】  新規のクラスプを提供する。【解決手段】  第１の係合部１２を備えた開口部１１を有するクラスプ本体１と、前記開口部１１に挿入して第１の係合部１２と着脱自在に係合する第２の係合部２５を備えた挿入部材２とから構成されたアクセサリ用のクラスプである。挿入部材２は、前記クラスプ本体の挿入方向に対して水平方向に配置された二つの部材２１、２２から構成され、二つの部材２１、２２は、その挿入側が前記クラスプ本体の開口部１１への挿入方向に対して垂直方向に開閉するように固定手段２２により固定され、なおかつ付勢手段２４により前記二つの部材の垂直外側方向に付勢されており、そして前記挿入側の開閉部分が第２の係合部２５を構成している【選択図】      図１
2010005376.tif 000002
【特許請求の範囲】
【請求項１】
第１の係合部を備えた開口部を有するクラスプ本体と、
前記開口部に挿入して前記第１の係合部と着脱自在に係合する第２の係合部を備えた挿入部材と、から構成されたアクセサリ用のクラスプであって、
前記挿入部材は、前記クラスプ本体の挿入方向に対して水平方向に配置された一対の部材から構成され、
前記一対の部材は、前記第２の係合部が開閉するよう固定手段によって連結され、
前記一対の部材は、前記第２の係合部が閉じる方向に付勢手段によって付勢されていることを特徴とする、アクセサリ用のクラスプ。
【請求項２】
前記第１の係合部は、前記第２の係止部を案内するための突起部と、前記クラスプ本体に固着されて前記第２の係合部に連結するための前記突起部より短い断面直径を有する挿入部材固定部とから構成されており、
前記挿入部材は、前記突起部に当接すると前記第２の係合部が開き、さらに前記突起部を超えて前記挿入部材を前記開口部に挿入すると前記挿入部材の付勢手段により前記クラスプ本体の固定部を挟み込む構成を有していることを特徴とする請求項１に記載のアクセサリ用のクラスプ。
【請求項３】
前記クラスプ本体の開口部の断面および前記挿入部材の断面は円形であることを特徴とする請求項１または請求項２に記載のアクセサリ用のクラスプ。
【請求項４】
前記クラスプの開口部はテーパ状に伸長し、
前記第２の結合部が前記第１の結合部に連結した状態で、前記挿入部材の外面が前記開口の内面に接触することを特徴とする請求項１から請求項３の何れか１項に記載のアクセサリ用のクラスプ。
【請求項５】
前記第１の係合部は、前記開口部の垂直方向に設けられた棒状体であり
前記第２の係合部は、前記棒状体を挿み込んで係止する形状を有していることを特徴と
する請求項１、請求項３、請求項４の何れか１項に記載のアクセサリ用のクラスプ。
【請求項６】
前記挿入部材は、前記付勢手段を収納する収納部をさらに有していることを特徴とする請求項１から請求項５の何れか１項に記載のアクセサリ用のクラスプ。
【請求項７】
前記挿入部材はフランジを有し、
前記クラスプ本体の第１の係合部と前記挿入部材の第２の係合部とが連結したときに、前記フランジの外周面と前記クラスプ本体の外周面とが同一面となることを特徴とする請求項１から請求項６の何れか１項に記載のアクセサリ用のクラスプ。
【請求項８】
前記クラスプ本体は、前記挿入部材を挿入するための複数の開口部を有していることを特徴とする請求項１から請求項７の何れか１項に記載のアクセサリ用のクラスプ。
【請求項９】
前記挿入部材はパネルを有し、このパネルは前記挿入部材と前記クラスプ本体とが係合時に前記挿入部材および前記クラスプ本体の一部または全体を覆うように形成されていることを特徴とする請求項１から請求項８の何れか１項に記載のアクセサリ用のクラスプ。
【請求項１０】
前記パネルの少なくとも一方の表面には所定の模様が施されていることを特徴とする請求項９に記載のアクセサリ用のクラスプ。
【請求項１１】
前記挿入部材は第３の部材を有し、該第３の部材は前記一対の部材の間に位置し、一端が前記固定手段に連結し、他端がアクセサリに連結することを特徴とする請求項１から請求項１０の何れか１項に記載のアクセサリ用のクラスプ。
【請求項１２】
請求項１から請求項１１の何れか１項に記載のアクセサリ用のクラスプを備えたアク
セサリ。
【請求項１３】
前記クラスプ本体は、前記アクセサリの両端に接続された二つの挿入部材と係合するための２つまたはそれ以上の開口部を有している差し替え可能なクラスプ本体であることを特徴とする請求項１２に記載のアクセサリ。
【発明の詳細な説明】
【技術分野】
【０００１】
本発明は、新規アクセサリ用のクラスプに関する。より詳しく述べると部品点数を減らし、なおかつ着脱が容易なアクセサリ用のクラスプに関する。
【背景技術】
【０００２】
従来のネックレス等に使用されるクラスプ（留め金具）は、弾性体であるコイルバネを利用した係止手段を用いたものが知られている。
図１６に基づいて、従来技術のクラスプを説明する。図１６は、従来のクラスプを示す図面であり、（ａ）は斜視図であり、（ｂ）は、クラスプによる接続部の裏側を拡大した拡大斜視図であり、（ｃ）は、留め金具を拡大した拡大断面図であり、そして（ｄ）は、（ｃ）に示すＡ−Ａ線の断面図である。
【０００３】
図１６（ｂ）に示すように、留め金具１２０は、主に第１ケース本体１１２と係止ピン１１３とから構成される。係止ピン１１３の一端は連珠玉を繋いでいる糸１１４に連結し、他端は受け入れ部材１１５に挿入しやすいように球面形状に形成されている。この係止ピン１１３は、丸棒状に形成され。その先方には係止溝１１３ａが形成されている。
【０００４】
また、図１６（ｃ）および（ｄ）に示す通り、第１ケース１１２は、受け入れ部材１１５と、押しボタン１１６ｂを有する係止部材１１６と、を含有する。第１ケース１１２および第２ケース１１８は、複数の部材を内蔵し、表面には装飾が施されている。また、第１ケース１１２の一側面（図１６（ｃ）で左側）には取付環１１２ａが設けられており、他側面には係止ピン１１３の挿入を可能にする挿入孔１１２ｂが形成されている。さらに、上面には押しボタン１１６ｂが挿入できるようにその形状に合わせて穴１１２ｃが設けられている。
【０００５】
受け入れ部材１１５は、係止ピン１１３の挿入を案内する筒状の中空部材である。受け入れ部材１１５の下側には係止部材１１６の係止部１１６ｃが受け入れ部材１１５内部に突出するように切欠１１５ｂが形成されている。
係止部材１１６は、押しボタン１１６ｂと略Ｕ字形板１１６ａとが一体に成形され、係止ピン１１３の係止溝１１３ａに係脱する。そして、押しボタン１１６ｂはコイルバネ１１７を収納できるように中空状に形成されており、係止部材１１６は、上下運動する。
コイルバネ１１７は、押しボタン１１６ｂの中に収納されており、押しボタン１１６ｂを指先で押圧することにより、コイルバネ１１７はたわみ、係止部材１１６を下方に移動させて、係止ピン１１３の係止溝１１３ａから離脱する。
第２ケース１１８は、第１ケース１１２に蓋をするもので、第１ケース１１２と嵌合させる。この第２ケース１１８には、押しボタン１１６ｂおよび受け入れ部材１１５の干渉を防ぐために２つの切欠が設けられている。
【０００６】
通常はコイルバネ１１７の弾性力で係止部材１１６は押し上げられ、その係止部１１６ｃが受け入れ部材１１５の切欠１１５ｂに嵌入した状態で規制される。また、係止部材１１６に押圧（押し下げ）力が作用すると、コイルバネ１１７の付勢力に抗して略Ｕ字形板１１６ａが下がり、係止部１１６ｃが受け入れ部材１１５の切欠１１５ｂから下降し、係止ピン１１３の係止溝１１３ａから離脱する（例えば、特許文献１参照）。
【０００７】
また、例えば特許文献２に記載のように、連珠玉と留め金であるクラスプを装飾体としたネックレスも知られている。このネックレスは、複数の珠玉に糸を通して連珠玉と、一端側に受け止め具が止着された糸と、複数個のスペーサと、装飾体を施したクラスプと、クラスプの裏面に設けられ、掛け留め具部およびフック部が形成された止め金具とから構成されている。
【特許文献１】特開平９−１８２６０９号公報（図１〜図３等）
【特許文献２】特開２００５−２９６５２３号公報（図３、図４等）
【発明の開示】
【発明が解決しようとする課題】
【０００８】
しかしながら、上記のクラスプには以下の不都合点がある。特許文献１に記載のクラスプは、構造が複雑で、部品点数も多く、組み立てに工数を要する。一方、特許文献２に記載のフックタイプのクラスプは、クラスプ自体が小さいため、両手を用いた装着は容易ではない。さらに、クラスプ本体のデザインの自由度を高めるため、クラスプ本体に着脱用のボタンがないクラスプが望まれている。
【０００９】
本発明は上述の内容に鑑みて創案されたものであり、本発明の目的は、単純な構造のアクセサリ用クラスプを提供することである。本発明の他の目的は、着脱が容易で、かつ容易に外れないアクセサリ用クラスプを提供することである。本発明のさらに他の目的は、クラスプ本体の着脱用ボタンのないアクセサリ用クラスプを提供することである。
【課題を解決するための手段】
【００１０】
本発明者は、上記課題を解決するために鋭意検討した結果、クラスプの挿入部材を二つ以上の部材で構成し、挿入側と反対の後端部側をバネにより挿入方向に対して垂直方向に可動できる構成とすると上記課題を解決できることを見出した。
【００１１】
このような構造のうち、クラスプ本体と挿入部材との係合を挿入部材の内側面に設けられた突起（または溝）と開口部内に設けられた溝（または突起）により係合する方法も考えられるが、挿入部材の先端部分に開閉機構を有する係合部を設け、クラスプ本体の開口部内に前記係合部と係合する係合部を設けることによって、容易に着脱でき、なおかつ装着時に外れにくいクラスプを提供できることを見出して本発明を創作するに至った。
【００１２】
すなわち、本発明は、第１の係合部を備えた開口部を有するクラスプ本体と、前記開口部に挿入して前記第１の係合部と着脱自在に係合する第２の係合部を備えた挿入部材と、から構成されたアクセサリ用のクラスプに関する。
本発明のクラスプにおいて、前記挿入部材は、前記クラスプ本体の挿入方向に対して水平方向に配置された二つの部材から構成され、前記二つの部材は、その挿入側が前記クラスプ本体の開口部への挿入方向に対して垂直方向に開閉するように固定手段により固定され、なおかつ付勢手段により前記二つの部材の垂直外側方向に付勢されており、そして前記挿入側の開閉部分が第２の係合部を構成している。
【００１３】
本発明の第１の実施態様において、前記第１の係合部は、前記第２の係止部を案内するための突起部と、前記クラスプ本体に固着されて前記第２の係合部を係合するための前記突起部より短い断面直径を有する挿入部材固定部とから構成されており、
前記挿入部材は、前記突起部に当接すると前記第２の係合部が開き、さらに前記突起部を超えて前記挿入部材を前記開口部に挿入すると前記挿入部材の付勢手段により前記クラスプ本体の固定部に固定される構成を有していることができる。
【００１４】
また、前記クラスプ本体の開口部が円形の断面形状を有していると、挿入部材の挿入方向が自由になるので好ましい。
【００１５】
あるいは、前記クラスプの開口部は、非円形の断面構造を有しており、前記挿入部材は、前記クラスプの断面構造に沿って挿入され、前記クラスプの第１の係合部に当接した際に前記第２の係合部が開口し、そして更に前記挿入部材を前記開口部に挿入した際に前記第１の係合部と前記第２の開口部とが係合するような構造を有することもできる。
【００１６】
また、本発明の第２の実施形態において、前記第１の係合部は、前記開口部の垂直方向に設けられた棒状体であり前記第２の係合部は、前記棒状体を挿み込んで係止する形状を有している。
【００１７】
また、本発明の第１および第２の実施形態において、前記挿入部材は、前記付勢手段を収納する収納部をさらに有していることが好ましい。
更に、挿入部材は、前記クラスプの本体に挿入して前記第１の係合部と前記第２の係合部が係合した際に、その露出部分とクラスプ本体とで一体のデザインを形成するような形状を有していることが好ましい。
【００１８】
さらに、本発明のクラスプは、複数の開口部と複数の挿入部とから構成されることができる。
すなわち、クラスプの両側に挿入部を設けることも可能であり、また一端側または両端側に複数の開口部と複数の挿入部とを設けて多連式のクラスプとすることも可能である。
【００１９】
更に本発明のクラスプにおいて、前記挿入部材を、前記クラスプを覆うように形成することが可能である。この場合、挿入部材の少なくとも一方の表面（好ましくは両方の表面）に所定のデザインを施すことができる。
【００２０】
本発明は、更に本発明のクラスプ本体と、前記開口部に対応する挿入部材を備えたアクセサリ本体とから構成されたアクセサリに関する。
なお、本発明で使用する用語アクセサリとは、ネックレス、アンクレット、ペンダント等の装身具に加えて、携帯用のストラップなどを包含することを意味する。
【発明の効果】
【００２１】
このようなクラスプは、クラスプ本体側にボタンを設けていないので、外側にクラスプの着脱機構を設けないでクラスプ本体をデザインできるのでクラスプ本体を所望のデザインとすることができる。
また、挿入部材の先端部に開閉機構を持たせているので、クラスプ本体に確実に挿入部材を係合することができる。
また、本発明のアクセサリは、クラスプ本体および／または挿入部材を備えたアクセサリを差し替えて使用できるという際立った効果を有している。
【発明を実施するための最良の形態】
【００２２】
（第１の実施形態）
図１から図９を参照して、以下に本発明の第１の実施形態に係るクラスプを説明する。
【００２３】
図１（ａ）に示す通り、本発明の第１の実施形態に係るクラスプ１００は、第１の係合部１２を備えた開口部１１を有するクラスプ本体１と、前記開口部１１に挿入して前記第１の係合部１２と着脱自在に係合する第２の係合部２５を備えた挿入部材２と、から主として構成されている。
【００２４】
クラスプ本体１は、例えばリング４を介して連珠の一端と接続されており、一方挿入部材２は、リング４’を介して連珠の多端と接続されており、図１（ｂ）に示す通りクラスプ本体１の第１の係合部１２と挿入部材の第２の係合部２５とを係合させることにより、ネックレスを構成する。
【００２５】
なお、図１に示す本実施形態のクラスプは真珠等の連珠から構成されたネックレスを示すが、本発明はネックレス用のクラスプに限定されるものではなくアクセサリ用のクラスプであれば幅広く適用可能である。例えば、ネックレス以外に、ブレスレット、アンクレット、ペンダント等のアクセサリ用のクラスプとして本発明のクラスプを適用することも可能である。
【００２６】
より具体的には、図２（ａ）および（ｂ）に示す通り、クラスプ本体１は、均一の直径を有する開口部１１と、クラスプ本体１の一端と連結するリング４とから構成されている。
【００２７】
本発明の第１実施形態に係るクラスプ１００において、クラスプ本体１の第１の係合部１２は、挿入部材２の第２の係合部２５を開口部１１の内部に案内するための突起部１２ａと、開口部１１の底部から伸長し、前記突起部１２ａより短い断面直径を有する挿入部材固定部１２ｂとから構成されている。
【００２８】
一方、図２（ｃ）および図２（ｄ）を参照すると、挿入部材２は、クラスプ本体１の開口部１１に挿入できる形状を有しており、クラスプ本体１の挿入方向に水平に配置された第１の部材２１と第２の部材２２とから主として構成されている。
【００２９】
第１の部材２１と第２の部材２２は、クラスプ本体１へ挿入する側（先端部）が前記クラスプ本体１の開口部１１への挿入方向に対して垂直方向に開閉するように固定手段２３により固定され、なおかつ付勢手段であるバネ２４により第２の係合部２５が閉じる方向に付勢されている。このように構成することにより、第２の係合部２５が開閉するような構成となっている。
【００３０】
図３は、第１の部材２１および第２の部材２２を示す。第１の部材２１と第２の部材２とは固定手段２３により固定して構成される。これらの部材は、固定部２３ａ、２３ｂをそれぞれ有し、双方の固定部共に貫通孔が設けられている。この貫通孔に固定手段２３を貫通させることにより、双方の部材は連結する。
【００３１】
図４は別の第１の部材３１と第２の部材３２を示す。図４（ａ）に示すように、第１の部材３１は２つの固定部２３ｃ、２３ｄを有し、双方の固定部には貫通孔が形成されている。一方、図４（ｂ）に示すように、第２の部材３２は貫通孔が形成された固定部２３ｅを有する。第１および第２の部材３１、３２を組み合わせると、第２の部材３２の固定部２３ｅが第１の部材２１の固定部２３ｃおよび２３ｄの間の空間に挿入される。
【００３２】
本実施形態において、図３（ａ）および図４（ａ）に示す通り、第１の部材２１または３１は、壁部２５ｃを有し、溝部２５ａを画定している。同様に、図３（ｂ）および図４（ｂ）に示す通り、第２の部材２２または３２は、壁部２５ｄを有し、溝部２５ｂを画定している。
【００３３】
必要により、第１の部材２１、３１および第２の部材２２、３２の何れもバネ２４を格納するためのバネ収納部２６ａ、２６ｂを有してよい。
【００３４】
挿入部材２をクラスプ本体１の開口部１１に挿入すると、挿入部材２の第２の係合部２５がクラスプ本体１の突起部１２ａに接触し、次いで、第２の係合部２５が開く。さらに、挿入部材２を開口部１１の内部に押し込むと、第２の係合部２５の壁部２５ｃが突起部１２ａを滑走し、挿入部材固定部１２ｂに係合する。その結果、挿入部材２がクラスプ本体１に接続する。より詳細には、図５および図６に示すように、挿入部材２の第２の係合部２５が、バネ２４の付勢力により挿入部材固定部１２ｂを挟み込む。挿入部材２とクラスプ本体１の接続は、挿入部材２がクラスプ本体１から引き抜かない限り保持される。
【００３５】
再び図３および図４を参照すると、第１および第２の部材２１、２２または３１、３２の壁部２５ｃおよび２５ｄは、クラスプ本体１の開口部１１への挿入方向に対して所定の角度（一般的には垂直）を形成している。それゆえ、内部空間２５ａおよび２５ｂは第１の係合部１２を包含する。
【００３６】
なお、図２（ｂ）および図２（ｄ）に示す通り、クラスプ本体１の開口部１１および挿入部材２の断面形状は各々円形であることが好ましい。その理由は、クラスプ本体１の開口部１１および挿入部材２の断面形状は各々円形とすることにより、挿入部材２の挿入は、どの方向からも挿入することが可能となる。しかしながら、クラスプ本体１の開口部１１および挿入部材２の断面形状はこれに限定されるものではない。
【００３７】
次に、図５に基づいて、このように構成された本発明の第１実施形態に係るクラスプ１００の装着方法（係合動作）を説明する。
クラスプ本体１に挿入部材２を挿入して固定するに当たって、図５（ａ）に示す通り、クラスプ本体１の開口部１１に挿入部材２を挿入する。
【００３８】
クラスプ本体１の開口部１１の内部に挿入部材２を挿入していくと、図５（ｂ）に示す通り、挿入部材２の先端部分、すなわち第２の係合部２５は、第１の係合部１２の突起部１２ａの先端に当接する。第２の係合部２５が第１の係合部１２の突起部１２ａの先端に当接すると、挿入部材２のバネが内側方向に収縮して、第２の係合部２５が開く。
【００３９】
さらにクラスプ本体１の開口部１１に挿入部材２を挿入すると、突起部１２ａに当たって開いた挿入部材２の第２の係合部２５は、突起部１２ａを覆う形で挿入されていく。そして、更にクラスプ本体１の開口部１１に挿入部材２を挿入して第２の係合部２５が突起部１２ａを超えると、図５（ｃ）に示す通り、第２の係合部２５は、突起部１２ａより細い（突起部１２ａの断面直径よりも短い断面直径を有する）固定部１２ｂに到達する。
【００４０】
第２の係合部２５が突起部１２ａより細い（突起部１２ａの断面直径よりも短い断面直径を有する）固定部１２ｂに到達すると、内側に収縮して第１の部材２１と第２の部材２２を開いていたバネ２４の付勢力が開放され、第１の部材２１と第２の部材２２が閉じる。このようにして第１の部材２１と第２の部材２２が閉じることにより、挿入部材２が固定部１２ｂを挿んでいる状態となり、第１の係合部１２と第２の係合部２５が係合して、クラスプ本体１に挿入部材２が固定されている。
【００４１】
この際に、第１の部材２１と第２の部材２２とで構成される第２の係合部２５の先端部分は、クラスプ本体１の開口部１１への挿入方向に対して所定の角度（一般的には垂直）を形成する壁部２５ｃ、２５ｄを有しているので、挿入方向と逆側の力が発生しても、挿入部材２の第２の係合部２５は抜けることなく固定されたままの状態を保つ。それゆえ、クラスプ１００は容易に分離しない。
【００４２】
次に、図６に基づいて、クラスプ本体１から挿入部材２を外す動作（係合関係の解除動
作）について説明する。
【００４３】
まず、図６（ａ）に示す通り、第１の係合部１２と第２の係合部２５が係合して、クラスプ本体１に挿入部材２が固定されている状態において、挿入部材２の第１の部材２１と第２の部材２２に図示の矢印の方向に力を加える。
【００４４】
このようにして、挿入部材２の第１の部材２１と第２の部材２２に力を加えると、バネ２４が収縮して第１の部材２１と第２の部材２２の先端部が開く。
【００４５】
このようにして、第１の部材２１と第２の部材２２の先端部が開いた状態で、図６（ｂ）に示す方向に挿入部材を引き抜くと、第１の係合部１２と第２の係合部２５との係合関係が外れて挿入部材２をクラスプ本体１から外すことが可能となる。
【００４６】
以上説明した通り、第１の実施形態に係るクラスプ１００は、クラスプ本体１側にボタンを設けていないので、クラスプ本体１のデザインの自由度が高まる。すなわち、ボタンの設置箇所を考慮せずにクラスプ本体１のデザインを自由に決めることができる。
また、挿入部材２の第２の係合部２５がクラスプ本体１の突起部１２ａに引っ掛かる構造のため、挿入部材２をクラスプ本体１から引っ張ってもクラスプ１００の接続が保持される。
【００４７】
次に、図７ないし図９を参照して、以下に本発明の第１の実施形態に係るクラスプの変更例を説明する。
【００４８】
（第１の実施形態の第１の変更例）
図７（ａ）および図７（ｂ）は、本発明の第１の実施形態の第１の変形例のクラスプ２００を示す。このクラスプ２００はクラスプ１００とは異なり、挿入部材５０をクラスプ本体１に挿入した際に、クラスプ本体１と挿入部材２の外周面が同一面となり、さらに付勢手段であるバネ２４がバネ収納部２６に収納されている。他の構造は類似しているため、同一部材には同一参照番号を付与し、その説明は省略する。
【００４９】
この変更例では、挿入部材５０の終端にフランジ２７が設けられており、そのフランジ２７のために、挿入部材５０をクラスプ本体１に接続すると、双方の外周面が同一面となり、単一のモジュールを形成する。さらに、クラスプ２００を分離させる場合には、ユーザはフランジ２７を掴んで行えばよい。このクラスプ２００はクラスプ１００よりも小型に形成することが可能なため、小型のアクセサリに使用する場合に有利となる。
【００５０】
また、クラスプ２００の挿入部材５０は、付勢手段であるバネ２４を収納するためのバネ収納部２６を有し、バネ２４はこのバネ収納部２６内に配置される。そのため、バネ２４がユーザの髪の毛を挟む等の危険性を低減することができる。
【００５１】
上述のクラスプ１００および２００は、共に簡単な構造を有し、小型化が可能である。加えて、着脱が容易である。
【００５２】
（第１の実施形態の第２の変更例）
図８を参照して、以下に本発明の第１の実施形態に係るクラスプの第２の変形例を説明する。本発明の第１の実施形態の第２の変形例に係るクラスプ３００は、上述のクラスプ１００と異なり、挿入部材６０が第１および第２の部材２１、２２を挟んで相互に対向している一対の化粧パネル２８ａおよび２８ｂを備える。これらの化粧パネルは、ネジ等で第１および第２の部材にそれぞれ固定されてよい。あるいは、化粧パネル２８ａと第１の部材２１、並びに化粧パネル２８ｂと第２の部材２２はそれぞれ一体的に形成されてよい。化粧パネル２８ａおよび２８ｂは、四角形、三角形等の所定の形状を有し、特定の模様が施されていてよい。挿入部材６０をクラスプ本体１に接続すると、一対の化粧パネル２８ａおよび２８ｂがクラスプ本体１の一部または全体を覆うため、ペンダントヘッドの役割を果たす。それゆえ、クラスプ３００はクラスプ１００よりもデザインの自由度が高い。
【００５３】
（第１の実施形態の第３の変更例）
次に、図９を参照して、以下に本発明の第１の実施形態に係るクラスプの第３の変形例を説明する。
図９（ａ）に示すクラスプ４００の挿入部材７０ａは、連珠３’を挿入部材７０ａの中心位置で接続させるために、２つのリング３ａ、３ｂとリング３ａ、３ｂの両方と接続する大直径のリング３ｃを介して連珠３’と接続している。
【００５４】
一方、図１０（ｂ）に示すクラスプ４００の挿入部材７０ｂは、連珠３’を挿入部材７０ｂの中心位置で接続させるために、２つのリング３ａ、３ｂを各々二つのリング３ｄ、３ｆを介して連珠３’と接続している。
【００５５】
このようにして、クラスプ４００の挿入部材７０ａまたは７０ｂを連珠３’と中心位置で接続することが可能となる。
【００５６】
（第２の実施形態）
次に、図１０および図１１を参照して、以下に本発明の第２の実施形態に係るクラスプを説明する。本発明の第２実施形態に係るクラスプは、第一の実施形態に係るクラスプとは連結構造が異なる。
【００５７】
図１０（ａ）および図１０（ｂ）に示す通り、第２の実施形態のクラスプ５００は、主にテーパ形状の開口１１０とその開口１１０内に形成された棒上の第１の係合部１２０とを有するクラスプ本体１０００と、前記開口１１０に連結するようになされたテーパ形状の第２の係合部２５０を有する挿入部材２０００と、を備える。他の構造はクラスプ１００と同様なため、同一部材には同一参照番号を付与し、その説明は省略する。
【００５８】
このようにして構成された第２実施形態のクラスプ５００のクラスプ本体１０００と挿入部材２０００とを接続するためには、挿入部材２０００の第２の係合部２５０をクラスプ本体１０００の開口１１０に挿入すればよい。第２の係合部２５０が開口１１０内の第１の係合部１２０と当接すると、コイルバネ２４０が圧縮して、第２の係合部２５０が開く。この状態で、さらに挿入部材２０００を開口１１０の奥に押し込むと、第１の係合部１２０は第１および第２の部材の間の空間に収まる（図１１（ｂ）参照）。そのとき、コイルバネ２４０は伸び、第１の係合部１２０と第２の係合部２５０とが連結する。結果として、挿入部材２０００とクラスプ本体１０００とが接続される。また、このときに、クラスプ本体１０００の開口１１０の内周面と、挿入部材２０００の第２の接合部２５０の外周面とが接触する。
【００５９】
一方、挿入部材２０００をクラスプ本体１０００から外す際には、挿入部材２０００に図１１（ｂ）に示す矢印の方向に力を加えた状態で、挿入部材２０００をクラスプ本体１０００から引き抜けばよい。このとき、挿入部材２０００の第２の係合部材２５０は開いている。したがって、挿入部材２０００はクラスプ本体１０００から取り外される。
【００６０】
第２の実施形態のクラスプ５００も、第１の実施形態のクラスプ１００と同様にクラスプ本体１０００にボタンが設けられていないため、クラスプ本体のデザインの自由度が高い。すなわち、ボタンの位置を考慮せずにクラスプ本体のデザインを決めることができる。また、挿入部材２０００の先端部に開閉機構を持たせており、棒状の第１の係合部１２０を挟み込む状態でクラスプ本体１０００と挿入部材２０００を連結するので、たとえ挿入部材２００に引き抜く方向に力が作用しても接続が外れることがない。
【００６１】
（第３の実施形態）
次に、図１２を参照して、以下に本発明の第３の実施形態に係るクラスプを説明する。
第３の実施形態のクラスプ６００は、相互に対向する位置に形成された２つの開口３１０ａおよび３１０ｂを備えたクラスプ本体３０００と、これらの開口に挿入するようになされた２つの挿入部材２と、を有する。２つの開口３１０ａおよび３１０ｂは、図１２（ａ）のクラスプ６００のように相互に近接してもよく、あるいは図１２（ｂ）のクラスプ６１０のように離れていてもよい。さらに、双方の中心位置は一致せずにずれていてもよい。
【００６２】
また、第３の実施形態のクラスプにおける開口の数は２に限定されるものではない。図１１（ｃ）は第３の実施形態の変形例に係るクラスプを示している。このクラスプ６２０は、４つの開口３１０ｃ、３１０ｄ、３１０ｅ、３１０ｆを備えたクラスプ本体３２００を有し、４つの開口のうちの２つがそれぞれの側面に形成されている。このクラスプ本体３２００には、４つの対応する挿入部材２を挿入することができる。
【００６３】
このように第３の実施形態のクラスプは、図１２に示すように、複数の開口を有するクラスプ本体と、当該開口と同数の挿入部材と、を有する。
【００６４】
（第３の実施形態の第１の変更例）
図１３を参照して、以下に第３の実施形態のクラスプの第１の変更例について説明する。第１の変更例のクラスプ７００は、珠で形成されたクラスプ本体４０００を備えているため、真珠の連珠から構成されたネックレス用のクラスプに好適に適用可能である。
【００６５】
クラスプ７００は、クラスプ本体４０００と、それぞれ開口３３０ａ、３３０ｂを有するカップ形状部材３２０ａ、３２０ｂと、それぞれ開口３３０ａ、３３０ｂに形成された第１の係合部材３４０ａ、３４０ｂと、を有する。このクラスプ７００は、カップ形状部材３２０ａ、３２０ｂをクラスプ本体４０００に取り付け、第１の連結部３４０ａ、３４０ｂをそれぞれカップ形状部材３２０ａ、３２０ｂに差し込むことで製造される。このクラスプ７００をネックレスに適用すれば、自然な外観を有するネックレスが提供可能となる。
【００６６】
（第３の実施形態の第２の変更例）
図１４を参照して、以下に第３の実施形態のクラスプの第２の変更例について説明する。
第３の実施形態の第２の変更例に係るクラスプ８００はネックレス等に適用することができる。クラスプ８００は、所定の形状を有するクラスプ本体５０００と、それぞれ開口３３０ａ、３３０ｂを有する２つのカップ形状部材３２０ａ、３２０ｂと、第１の連結部３４０ａ、３４０ｂと、を有する。
【００６７】
この変形例のクラスプ８００において、クラスプ本体５０００は交換可能なペンダントヘッドの役割を果たす。形状、模様、色の異なる複数のクラスプ本体５０００を事前に用意し、その中からユーザが所望のものを選択して挿入部材２に接続することができる。それゆえ、クラスプ８００は、第３の実施形態のクラスプ６００よりも高いデザインの自由度を有する。
【００６８】
（第４の実施形態）
図１５を参照して、以下に本発明の第４の実施形態に係るクラスプを説明する。第４の実施形態のクラスプ９００は、挿入部材６０００の形状が他の実施形態のクラスプに比べて異なる。詳細には、挿入部材６０００は第３の部材９０を有している。この第３の部材９０は平板または円柱形状を有し、図１５（ｃ）に示すように、片端が第１の部材２１および第２の部材２２を接続する固定手段２３に連結し、他端がリング４’に連結している。また、中心部に開口９１を有し、その開口９１にバネ２４が通っている。さらに、図１５（ｂ）示すように、固定手段２３を中心に第１の部材２１および第２の部材２２の間でピボット動作可能である。
【００６９】
図１に示す第１の実施形態に係るクラスプ１００の挿入部材２は、リング４’が第１の部材２１に連結している。このクラスプ１００において、挿入部材２がクラスプ本体１と接続中に、連珠３’が外側に引っ張られた場合を想定する。この場合、引っ張り力がリング４’を介して第１の部材２１に加わり、それに応じて第２の係合部２５が開き、挿入部材２が第１の係合部１２から外れてしまう恐れがある。しかし、第４の実施形態のクラスプ９００では、連珠３’が引っ張られても、その力が加わるのは接続に寄与しない部材である第３の部材９０である。したがって、第４の実施形態のクラスプ９００は、他の実施形態のクラスプよりも強固な接続を提供することができる。
【００７０】
以上の実施形態に係るクラスプの説明は、装身具用アクセサリに適用することを前提にしたが、本発明はこれに限定されるものではない。本発明は、装身具以外にも例えば携帯電話用のアクセサリ（携帯電話用ストラップ）の着脱機構に適用することができる。
【００７１】
携帯電話のストラップは、通常携帯電話本体に形成された溝部に通して装着する。しかし、例えば本発明の第１の実施形態に係るクラスプ１（図１参照）のクラスプ本体１００を携帯電話の本体と一定的に形成し、携帯電話用ストライプの接続端に挿入部材２を形成すれば、着脱自在の携帯電話のストラップ機構となる。従来、携帯電話のストラップの差し替えは細かい作業であったが、本発明の実施形態に係るクラスプを用いると容易に差し替え可能な携帯電話のストラップ着脱機構を構成することが可能となる。
【００７２】
以上説明した、本発明の実施形態に係るクラスプは、クラスプ本体に従来技術では必須であった着脱用のボタンを有していないのでデザインの自由度が高まるだけでなく、チェーン用のクラスプなどの従来着脱作業が困難であった装身具用に用いることが可能となる。
【００７３】
さらに、クラスプ８００（図１４参照）のクラスプ本体５０００は２つの開口３３０ａ、３３０ｂを有しているが、３つ以上の開口を有してもよい。例えば、クラスプをペンダントヘッドに適用する場合には、クラスプ本体は３つ以上の開口を側辺に備えた多角形形状であることが好ましい。この構造により、挿入部材２を差し込む開口を変更することでペンダントヘッドの向きを変えることができる。
【００７４】
また、本発明の実施形態に係るクラスプは様々な材質によって構成されてよい。材質の例としては、各種の金属、革、樹脂、これらの組み合わせなどが挙げられる。
【００７５】
以上、本発明を図面に示した実施形態を用いて説明したが、これらは例示的なものに過ぎず、本技術分野の当業者ならば、本発明の範囲および趣旨から逸脱しない範囲で多様な変更および変形が可能なことは理解できるであろう。したがって、本発明の範囲は、説明された実施形態によって定められず、特許請求の範囲に記載された技術的趣旨により定められねばならない。
【図面の簡単な説明】
【００７６】
【図１】本発明の第１の実施形態に係るクラスプを示す側面図であり、（ａ）は、装着前の状態を示し、（ｂ）は装着後の状態を示す図面である。
【図２】本発明の第１の実施形態に係るクラスプを示す概略図であり、（ａ）は、クラスプ本体の側面図であり、（ｂ）はクラスプ本体の断面図であり、（ｃ）は、挿入部材の側面図であり、そして（ｄ）は挿入部材の断面図である。
【図３】本発明の第１の実施形態に係るクラスプの挿入部材の構成の一例を示す図面であり、（ａ）は第１の部材の平面図であり、（ｂ）は第２の部材の平面図である。
【図４】本発明の第１の実施形態に係るクラスプの挿入部材の構成の別の一例を示す図面であり、（ａ）は第１の部材の平面図であり、（ｂ）は第２の部材の平面図である。
【図５】本発明の第１の実施形態に係るクラスプの装着を示す図面であり、（ａ）は、クラスプ本体の開口部に挿入部材を挿入した直後の状態を示し、（ｂ）は挿入部が第１の係合部材に当接した状態を示し、そして（ｃ）は、クラスプ本体の係合部と挿入部が係合した状態を示す。
【図６】本発明の第１の実施形態に係るクラスプの外す状態を示す図面であり、（ａ）は、第１の係合部と第２の係合部との係合状態を解除した状態を示し、そして（ｂ）はクラスプ本体から挿入部材を引き抜いた状態を示す。
【図７】本発明の第１の実施形態に係るクラスプの第１の変更例を示す図面であり、（ａ）は、クラスプ本体の開口部に挿入部材を挿入する状態を示し、そして（ｂ）は、クラスプ本体の第１の係合部と挿入部材の第２の係合部が連結した状態を示す。
【図８】本発明の第１の実施形態に係るクラスプの第２の変更例を示す図面である。
【図９】（ａ）（ｂ）は本発明の第１の実施形態に係るクラスプの第３の変更例を示す図面である。
【図１０】本発明の第２の実施形態に係るクラスプを示す図面であり、（ａ）（ｂ）は、挿入部材をクラスプ本体に差し込むときの状態を示す。
【図１１】本発明の第２の実施形態に係るクラスプを示す図面であり、（ａ）（ｂ）は、挿入部材をクラスプ本体に差し込んだときの状態を示す。
【図１２】本発明の第３の実施形態に係るクラスプを示す図面であり、（ａ）はクラスプ本体が相互に近接する２つの開口部を両端に備えた場合を示し、（ｂ）はクラスプ本体が相互に離れた２つの開口部を両端に備えた場合を示し、（ｃ）はクラスプ本体が４つの開口部を両端に備えた場合を示す。
【図１３】本発明の第３の実施形態に係るクラスプの第１の変更例を示す図面である。
【図１４】本発明の第３の実施形態に係るクラスプの第２の変更例を示す図面である。
【図１５】本発明の第４の実施形態に係るクラスプを示す図面であり、（ａ）は挿入部材をクラスプ本体に挿入する状態を示し、（ｂ）は挿入部材をクラスプ本体に挿入した状態を示し、（ｃ）は（ｂ）の状態の断面を示す。
【図１６】従来のクラスプを示す図面であり、（ａ）は正面図であり、（ｂ）は分解図であり、（ｃ）は断面図であり、（ｄ）は（ｃ）のＡ−Ａ線の断面図である。
【符号の説明】
【００７７】
１，１０００，３０００，３１００，３２００，５０００  クラスプ本体
２，５０，６０，２０００，６０００  挿入部材
１１，１１０，３１０ａ，３１０ｂ，３１０ｃ，３１０ｄ，３１０ｅ，３１０ｆ  開口部
１２，１２０  第１の係合部
１２ａ  突起部
１２ｂ  挿入部材固定部
２１  第１の部材
２２  第２の部材
２３  固定手段
２４  バネ
２５，２５０  第２の係合部
２６  バネ収納部
２７  フランジ
２８ａ，２８ｂ  化粧パネル
９０  第３の部材
１００，２００，３００，５００，６００，６１０，６２０，８００，９００  クラスプ
【図１】
2010005376.tif 000003
【図２】
2010005376.tif 000004
【図３】
2010005376.tif 000005
【図４】
2010005376.tif 000006
【図５】
2010005376.tif 000007
【図６】
2010005376.tif 000008
【図７】
2010005376.tif 000009
【図８】
2010005376.tif 000010
【図９】
2010005376.tif 000011
【図１０】
2010005376.tif 000012
【図１１】
2010005376.tif 000013
【図１２】
2010005376.tif 000014
【図１３】
2010005376.tif 000015
【図１４】
2010005376.tif 000016
【図１５】
2010005376.tif 000017
【図１６】
2010005376.tif 000018